(57)【要約】      （修正有）【課題】ユーザが動きやすくなるためのスペースを確保することができる、浴室を提供する。【解決手段】浴室は、第１方向において対向する第１面１１及び第２面２１と、第１方向と直交する第２方向において対向する第３面３１及び第４面４１と、で囲まれる平面視矩形状の浴室であって、第１面と前記第２面との間に亘って延び、第３面に接するように配置された浴槽７と、第１面と第４面との端辺が近接する隅部に形成され、第１面と第４面に対して斜めに延びるコーナー面５１と、浴槽に隣接し、第１面、コーナー面、第４面、及び前記第２面によって囲まれた洗い場８と、コーナー面に設置された水栓具５３と、を備え、浴槽における第１面側の端部の第２方向の幅Ｘ１は、第２面側の端部の第２方向の幅Ｘ２よりも狭く形成されている。【選択図】図２
2020081115.tif 000002
【特許請求の範囲】
【請求項１】
第１方向において対向する第１面及び第２面と、前記第１方向と直交する第２方向において対向する第３面及び第４面と、で囲まれる平面視矩形状の浴室であって、
前記第１面と前記第２面との間に亘って延び、前記第３面に接するように配置された浴槽と、
前記第１面と前記第４面との端辺が近接する隅部に形成され、当該第１面と第４面に対して斜めに延びるコーナー面と、
前記浴槽に隣接し、前記第１面、前記コーナー面、前記第４面、及び前記第２面によって囲まれた洗い場と、
前記コーナー面に設置された水栓具と、
を備え、
前記浴槽における前記第１面側の端部の前記第２方向の幅は、前記第２面側の端部の前記第２方向の幅よりも狭く形成されている、浴室。
【請求項２】
前記第２方向において、前記浴槽の最も幅の狭い箇所は、前記第１面側の端部の幅より狭く、前記第１方向において、前記第２面よりも前記第１面側に配置されている、請求項１に記載の浴室。
【請求項３】
前記第２方向において、前記浴槽の最も幅の広い箇所は、前記第２面側の端部の幅より広く、前記第１方向において、前記第１面よりも前記第２面側に配置されている、請求項１または２に記載の浴室。
【発明の詳細な説明】
【技術分野】
【０００１】
本発明は、浴室に関する。
【背景技術】
【０００２】
従来より、種々の浴室ユニットが提案されている。例えば、特許文献１には、洗い場の空間を広く利用するため、洗い場側を向く浴槽の側面を斜めに形成している。すなわち、浴槽の一端部の幅を狭くし、他端部の幅を広くしている。さらに、この浴室ユニットにおいては、浴槽の一端部側の側面に、湯水を供給する水栓具を設けている。
【先行技術文献】
【特許文献】
【０００３】
【特許文献１】特許第４７２５２９９号公報
【発明の概要】
【発明が解決しようとする課題】
【０００４】
しかしながら、上記のような浴室ユニットでは、水栓具が浴槽側に設けられているため、ユーザは、浴槽の一端部側で、浴槽を向いて洗髪などを行わなければならず、ユーザの周囲に確保されるスペースが制限されていた。そのため、ユーザが向きを変えるなどの動きの自由度が低いという問題があった。本発明は、上記問題を解決するためになされたものであり、ユーザが動きやすくなるためのスペースを確保することができる、浴室を提供することを目的する。
【課題を解決するための手段】
【０００５】
本発明に係る浴室は、第１方向において対向する第１面及び第２面と、前記第１方向と直交する第２方向において対向する第３面及び第４面と、で囲まれる平面視矩形状の浴室であって、前記第１面と前記第２面との間に亘って延び、前記第３面に接するように配置された浴槽と、前記第１面と前記第４面との端辺が近接する隅部に形成され、当該第１面と第４面に対して斜めに延びるコーナー面と、前記浴槽に隣接し、前記第１面、前記コーナー面、前記第４面、及び前記第２面によって囲まれた洗い場と、前記コーナー面に設置された水栓具と、を備え、前記浴槽における前記第１面側の端部の前記第２方向の幅は、前記第２面側の端部の前記第２方向の幅よりも狭く形成されている。
【０００６】
上記浴室では、前記第２方向において前記浴槽の最も幅の狭い箇所を、前記第１面側の端部の幅より狭く、前記第１方向において、前記第２面よりも前記第１面側に配置することができる。
【０００７】
上記浴室では、前記第２方向において前記浴槽の最も幅の広い箇所を、前記第２面側の端部の幅より広く、前記第１方向において、前記第１面よりも前記第２面側に配置することができる。
【発明の効果】
【０００８】
本発明に係る浴室によれば、ユーザが動きやすくなるためのスペースを確保することができる。
【図面の簡単な説明】
【０００９】
【図１】本発明の一実施形態に係る浴室の斜視図である。
【図２】図１の平面図である。
【図３】従来の浴室の平面図である。
【図４】本発明に係る浴室の他の例を示す平面図である。
【発明を実施するための形態】
【００１０】
以下、本発明に係る浴室の一実施形態について、図面を参照しつつ説明する。
【００１１】
＜１．浴室の概要＞
図１は本実施形態に係る浴室の斜視図、図２は図１の平面図である。図１及び図２に示すように、本実施形態に係る浴室は、ユニット工法で形成される浴室ユニットからなる。浴室ユニットは建物内に形成された略正方形状の設置空間に配置される。ここでは、説明の便宜のため、図２に示すように、この設置空間を側方から囲むコ字状の３つの壁を、第１壁１０、第２壁２０、及び第３壁３０と称することとする。具体的には、図２の第１方向において第１壁１０と第２壁２０とが対向し、第１壁１０及び第２壁２０の右端部同士が第３壁３０によって連結されており、この第３壁３０は、第１方向と直交する第２方向に延びている。また、図２に記載のように、第１方向における第３壁３０の中心を通り、第２方向に平行な線をＡ線、第２方向における第２壁２０の中心を通り、第１方向に平行な線をＢ線と称することとする。また、特に断りのない限り、第２方向の長さを「幅」と称することとする。
【００１２】
この浴室ユニットは、第１壁１０、第２壁２０、及び第３壁３０に対向するように配置される第１パネル（第１面）１１、第２パネル（第２面）２１、及び第３パネル（第３面）３１を有している。また、後述する浴槽７及び洗い場８を挟んで、第３パネル３１と反対側には第４パネル（第４面）４１及びドア４２が配置されている。さらに、第１パネル１１及び第４パネル４１において互いに近接する端部同士を連結するコーナーパネル（コーナー面）５１が設けられている。コーナーパネル５１は、第１パネル１１及び第４パネル４１に対して約４５度の角度で延びるように配置されている。
【００１３】
したがって、第１パネル１１の幅は、コーナーパネル５１の分だけ、第１面１０よりも短くなっている。また、第４パネル４１は、コーナーパネル５１の端部からＡ線までの範囲に設けられ、ドア４２は、第４パネル４１よりも第２パネル２１側には設けられている。ドア４２の構成は、特には限定されず、浴室に出入りできるような開き戸、引き戸、折り戸などの公知のドアで構成することが出来る。さらに、上記各パネル１１，２１，３１，４１，５１の上端部を連結する天井パネル６１が設けられている。なお、コーナーパネル５１、第１〜第４パネル１１〜４１、天井パネル６１は、公知の材料、例えば、樹脂被覆鋼板などで形成されている。
【００１４】
また、この浴室には、第１パネル１１から第２パネル２１に亘って延びる浴槽７と、この浴槽７に隣接する洗い場８と、が設けられている。洗い場８は、浴槽７、コーナーパネル５１、第４パネル４１、ドア４２、及び第２パネル２１によって囲まれた領域であり、設置空間の下面に配置される防水パン８１を有している。この防水パン８１は、ＦＲＰや、発泡体が中間層に設けられ外層がＦＲＰもしくは金属板からなるサンドイッチパネルで形成されている。また、図２に示すように、この防水パン８１には、第１方向の中央付近で、浴槽７に近接する位置に、開口（図示省略）が形成されており、この開口を塞ぐように、長方形状の蓋部材８２が設けられている。開口は、防水パン８１の下方に設けられた排水口（図示省略）に通じるように形成されており、毛を捕捉するネット部材(図示省略)が着脱自在に取り付けられている。また、蓋部材８２は、開口を塞ぐように取り付けられるが、開口の周縁と蓋部材８２との間には隙間が形成されており、脱水パン８１上の水や湯は、この隙間から開口内へ流れ込むようになっている。
【００１５】
＜２．浴槽＞
次に、浴槽７について説明する。浴槽７は、その長辺側が第３パネル３１に接し、第１パネル１１から第２パネル２１に亘って延びるように形成されている。浴槽７において第１パネル１１と接する第１端部７１の幅Ｘ１は、第２パネル２１と接する第２端部７２の幅Ｘ２よりも小さくなっている。より詳細には、第１端部７１の幅Ｘ１は、第１面１０の第１方向の幅Ｘ０の半分の長さよりも短く形成されている。一方、第２端部７２の幅Ｘ２は、第１面１０の幅Ｘ０の半分程度の長さとなっている。したがって、浴槽７の幅は、全体として、第２パネル２１から第１パネル１１側にいくにしたがって、狭くなるように形成されている。浴槽７の底面は、深部と浅部からなり、第１パネル１１側が一段上がった浅部となっている。
【００１６】
このような形状とするため、浴槽７の第４パネル側の側面７３は、曲面によって形成されている。すなわち、この側面７３は、第２端部７２から第１端部７１側にいくにしたがって、Ｂ線を越えるように第４パネル４１側にやや膨れ、第２パネル２１とＡ線との間で最も幅が広くなる（Ｘ３：最広部）。したがって、最広部の幅Ｘ３は、浴槽７の第２端部７２の幅Ｘ２よりも広くなっている。そして、第１端部7１側にいくにしたがって緩やかに幅が狭くなるように形成され、第１端部７１とＡ線との間で、幅が最も狭くなる（Ｘ４：最狭部）。その後、第１端部７１に近づくにしたがって幅が緩やかに広くなり、第１端部７１において第１パネル１１に接している。したがって、最狭部の幅Ｘ４は、浴槽７の第１端部７１の幅Ｘ１よりも狭くなっている。
【００１７】
また、浴槽７の内部空間（湯貯め部分）７４の平面形状は、概ね浴槽７の外形の平面形状に沿うように形成されている。例えば、湯溜め部である浴槽７内側の形状も上記と同様、第２パネル２１とＡ線との間で最も幅が広く、第１端部７１とＡ線との間で幅が最も狭くなる。
【００１８】
＜３．コーナーパネル＞
コーナーパネル５１は、第１面１０及び第４面４０の隅部において、第１パネル１１及び第４パネル４１に対し、約４５°の角度で連結された縦長のパネルである。本実施形態において、コーナーパネル５１の横方向の幅Ｙは、第１面１０の幅Ｘ０の１／６程度であるが、これに限定されず、例えば、幅Ｙは、２００〜３５０ｍｍ程度にすることができる。また、図１及び図２に示すように、このコーナーパネル５１には、下から上に、湯桶などを置くためのカウンター５２、水栓具５３、及び鏡５４が、この順で配置されている。カウンター５２は、第１パネル１１、コーナーパネル５１、及び第４パネル４１に接するように取り付けられ、洗い場８側の端面が円弧状に形成されている。カウンター５２は、コーナーパネル５１から直交するように浴室空間に向けて延びている。水栓具５３は、湯水を排出する吐水口を供え、さらにシャワーホース５５が連結されている。したがって、水栓具５３を操作することで、シャワーホース５５に連結されたシャワーヘッド５６から湯水を流すことができるようになっている。なお、シャワーヘッド５６は、第１パネル１１に設けられた取付具５７に、取り外し可能に設置されている。水栓具５３は、コーナーパネル５１から直交するように浴室空間に向けて取り付けられている。
【００１９】
＜４．その他＞
図１に示すように、第１パネル１１には、シャンプーなどの各種の入浴用製品を配置するための収納棚１５が設置されている。本実施形態では、３つの収納棚１５が上下に配置されているが、配置の位置、数、形状は特には限定されない。
【００２０】
＜５．特徴＞
上記のように構成された浴室は、次のような効果を得ることができる。
【００２１】
（１）図２に示すように、水栓具５３がコーナーパネル５１に配置されている。そのため、ユーザが洗髪などを行う際には、コーナーパネル５１、ひいては水栓具５３およびカウンター５２と正対して座るため、ユーザの右側にスペースＳ１が形成される。また、浴槽７の第１端部７１の幅が狭く形成され、第１パネル１１付近では、浴槽７の側面７３が第３パネル３１側に位置する。したがって、ユーザの左側にもスペースＳ２が形成される。さらに、第１パネル１１とＡ線との間に最狭部Ｘ４が形成され、第２パネル２１とＡ線との間に最広部Ｘ３が形成されているため、ユーザの背中側にもスペースＳ３が形成される。したがって、本実施形態に係る浴室では、例えば、図３のような浴室よりも、ユーザの周囲にスペースが確保されるため、向きを変えるなどのユーザの動きの自由度が高くなり、洗い場８での作業を快適に行うことができる。
【００２２】
（２）コーナーパネル５１から離れた第２パネル２１側では、浴槽７の幅を広くしているため、浴槽７の広さも十分に確保することができる。
【００２３】
（３）コーナーパネル５１が、第１パネル１１及び第４パネル４１に対して斜めになっているため、コーナーパネル５１を向いているユーザから、第１パネル１１及び第４パネル４１までの距離が短くなる。したがって、第１パネル１１に設置したシャワーヘッド５６や収納棚１５の製品に手が届きやすくなる。なお、本実施形態では、第１パネル１１にシャワーヘッド５６及び収納棚１５を配置したが、第４パネル４１やコーナーパネル５１に配置することもできる。
【００２４】
（４）コーナーパネル５１に水栓具５３が配置されているため、水栓具５３に湯水を供給するための配管をコーナーパネル５１の背面のスペース、つまりコーナーパネル５１、第１面１０、及び第４面４０で囲まれたスペース５０に配置することができる。したがって、このような配管を設置空間外に突出させることなく、設置空間を有効に活用することができる。
【００２５】
（５）浴槽７の第１端部７１側にコーナーパネル５１を設け、第１パネル４１側で洗髪などが行われるため、その他の第２面２０、第４面４０の何れにもドアを設けることができる。
【００２６】
＜４．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００２７】
＜４−１＞
上記実施形態では、設置空間が略正方形状であったが、長方形状の設置空間にも適用することができる。例えば、図４に示すように、長方形状の設置空間に合わせて各パネル、浴槽の形状を決定することができる。
【００２８】
＜４−２＞
上記実施形態では、ドア４２を第４面４０に配置しているが、第２面２０に配置することもできる。また、第１パネル〜第４パネル１１〜４１の少なくとも一つに窓を設けることもできる。したがって、本発明に係る第１〜第４面は、窓やドアが設けられる空間が適宜設けられたものも含む。なお、ドアを設けるためには、第４面４０においては、浴槽７の第２端部７２の幅Ｘ２が第４面４０の幅Ｘ０の５０％以下であることが好ましい。
【００２９】
＜４−３＞
浴槽７の形状は、上記実施形態で示したものに限られず、適宜変更が可能である。すなわち、第２面２０側の第２端部７２よりも第１面１０側の第１端部７１の幅が狭ければよく、その間の側面７３の形状は適宜変更可能である。したがって、側面７３に、複数の最広部、最狭部を設けてもよいし、あるいはこれらを設けず、単なる傾斜面であってもよい。但し、幅の狭い第１端部７１は、コーナーパネル５１が設けられた側に配置する必要がある。浴槽７と第１パネル１１もしくは第２パネル２１との間に空間が設けられてもよい。さらにその空間に浴用椅子を設けてもよい。
【００３０】
＜４−４＞
コーナーパネル５１の角度は特には限定されず、４５°以外でもよい。また、少なくとも水栓具５３が設けられていればよいため、テーブル５２や鏡５４は必ずしも設けなくてもよい。
【００３１】
＜４−５＞
上記実施形態では、家屋の設置空間にパネル１１〜６１を設けることで浴室を構成している。すなわち、第１〜第４パネル１１〜４１が本発明に係る第１〜第４面として機能する。一方、既にパネルが配置されていたり、上述した第１〜第３壁１０〜３０が浴室の壁として整備されている場合には、少なくとも第１〜第３パネル１１〜３１は必ずしも必要ではない。すなわち、第１〜第３壁１０〜３０が本発明の第１〜第３面として機能し、これに加え、第４パネル４１、浴槽７、水栓具５３が設けられたコーナーパネル５１、及び洗い場（下面パネル８１）によって本発明の浴室を構成することができる。すなわち、在来工法の浴室にも適用可能である。
【符号の説明】
【００３２】
１１  第１パネル（第１面）
２１  第２パネル（第２面）
３１  第３パネル（第３面）
４１  第４パネル（第４面）
５１  コーナーパネル（コーナー面）
５３  水栓具
７  浴槽
８  洗い場
【図１】
2020081115.tif 000003
【図２】
2020081115.tif 000004
【図３】
2020081115.tif 000005
【図４】
2020081115.tif 000006